(57)【要約】  ファスナ打込みツール（１２）に使用するための打込み深さ調整アセンブリ（１０）は、接触端（３０）及び調整端（２８）を有する工作物接触機素（２６）、ツールに固定されかつ工作物接触機素（２６）がツールに対して移動可能である調整ポジションと調整端（２８）がツールに対して動かないように固定されるロックポジションとの間で垂直に移動可能であるように構成される少なくとも１つのストップ（３２）、及びストップと結合されかつ工具を使用することなくストップ及び調整端をツールに対して選択されるロックポジションに押しやるように構成される少なくとも１つのバイアス機素を含む。
2008514436.tif 000002
【特許請求の範囲】
【請求項１】
ファスナ打込みツールに使用するための打込み深さ調整アセンブリであり、該アセンブリが、
接触端及び調整端を有する工作物接触機素と、
前記ツールに固定され、かつ前記工作物接触機素が前記ツールに対して移動可能である調整ポジションと前記調整端が前記ツールに対して動かないよう固定されるロックポジションとの間を垂直に移動可能であるように構成される少なくとも１つのストップと、
前記ストップと結合され、かつ工具を使用することなく前記ストップ及び前記調整端を前記ツールに対して選択されるロックポジションに押しやるように構成される少なくとも１つのバイアス機素と、
を含む、アセンブリ。
【請求項２】
該アセンブリにおいて、該アセンブリが前記ファスナ打込みツールの上部プローブのプラットフォームに締結されるように構成される、請求項１に記載のアセンブリ。
【請求項３】
該アセンブリにおいて、前記工作物接触機素の前記調整端が少なくとも１つの歯付きエッジを有し、かつ前記ストップが複数の調整ポジションのうちの１つで前記調整端の歯と積極的に係合するための少なくとも１つの対応する歯付き面を有する、請求項１に記載のアセンブリ。
【請求項４】
該アセンブリにおいて、前記ストップが付属スカートを有し、前記少なくとも１つの歯付き面が前記スカートに配置される、請求項３に記載のアセンブリ。
【請求項５】
該アセンブリにおいて、前記調整端のほぼ平行の２つの側面エッジが歯付きであり、かつ前記スカートが前記エッジの両方と係合するための歯を備える、請求項４に記載のアセンブリ。
【請求項６】
さらに、ベースを有するスペーサを含み、該アセンブリにおいて、前記工作物接触機素の前記調整端が前記スペーサベースを受け入れるように構成される開口を有する、請求項１に記載のアセンブリ。
【請求項７】
該アセンブリにおいて、前記ストップが前記工作物接触機素の前記開口と見当が合うように構成される開口を有する、請求項６に記載のアセンブリ。
【請求項８】
該アセンブリにおいて、前記バイアス機素が前記ストップの前記開口と見当が合うように構成される開口を有する、請求項７に記載のアセンブリ。
【請求項９】
該アセンブリにおいて、前記スペーサの前記ベースが前記バイアス機素の前記開口、前記ストップ開口及び前記工作物接触機素開口によって受け入れられるように構成される、請求項８に記載のアセンブリ。
【請求項１０】
該アセンブリにおいて、前記スペーサがプラットフォーム、ベース及び前記プラットフォーム及び前記ベースを通り抜けて伸びる１対の穴を含む、請求項１に記載のアセンブリ。
【請求項１１】
該アセンブリにおいて、前記スペーサの前記プラットフォームが前記プロットフォームから軸方向に伸びる少なくとも１つのストップを含む、請求項１０に記載のアセンブリ。
【請求項１２】
該アセンブリにおいて、前記少なくとも１つのストップが前記ファスナ打込みツールのビューティリングに接するように構成される、請求項１１に記載のアセンブリ。
【請求項１３】
該アセンブリにおいて、該アセンブリがさらに前記対の穴に挿入されるように構成される留め具を含み、該アセンブリにおいて前記留め具が該アセンブリを前記ファスナ打込みツールの前記上部プローブプラットフォームに締結するように構成される、請求項１０に記載のアセンブリ。
【請求項１４】
該アセンブリにおいて、前記ストップがさらに前記ストップの相対する１対の側面に配置されかつ前記ストップから外側に伸びる１対の耳を含む、請求項１に記載のアセンブリ。
【請求項１５】
該アセンブリにおいて、前記工作物接触機素がさらに前記工作物接触機素の上部に配置される深さ指示目盛りを含む、請求項１に記載のアセンブリ。
【請求項１６】
さらに、前記ストップの前端から外側に伸びるポインタを含み、該アセンブリにおいて前記深さ指示目盛りが前記ポインタに対応するように構成される、請求項１５に記載のアセンブリ。
【請求項１７】
ファスナ打込みツールに使用するための打込み深さ調整アセンブリであり、該アセンブリが、
接触端及び調整端を有する工作物接触機素と、
前記工作物接触機素と取り外し可能に係合できるように構成されるストップと、
前記ストップを前記工作物接触機素と係合させるために前記ストップにバイアス力を加えるように構成されるバイアス機素と、
前記ストップに前記バイアス機素を押し付けるように構成されるスペーサと、
を含む、アセンブリ。
【請求項１８】
ファスナ打込みツールに使用するための打込み深さ調整アセンブリキットであり、
接触端、調整端及び前記調整端の開口を有する工作物接触機素と、
前記工作物接触機素に取り外し可能に固定されるように構成され、前記工作物接触機素開口に対応する開口、相対する１つの側面に配置される１対の耳を有するストップと、
前記ストップの上面に配置されるように構成されるバイアス機素であり、該バイアス機素が前記ストップの開口に対応する開口を有する、バイアス機素と、
１対の通り穴、プラットフォーム、前記プラットフォームから軸方向に伸びる少なくとも１つのストップ及び前記プラットフォームから下向きに伸びるベースを有するスペーサであり、前記ベースが前記バイアス機素開口、前記ストップ開口及び前記工作物接触機素開口の各々を受けるように構成される、スペーサと、
を含む、アセンブリキット。
【請求項１９】
さらに、前記ストップの前端から伸びるポインタを含み、前記ポインタが前記工作物接触機素の上部に配置される深さ指示目盛りに対応するように構成される、請求項１８に記載のアセンブリ。
【請求項２０】
さらに、前記対の通り穴に挿入されるように構成される少なくとも１つの留め具を含み、前記少なくとも１つの留め具が該キットを前記ファスナ打込みツールに固定するように構成される、請求項１８に記載のアセンブリ。
【発明の詳細な説明】
【技術分野】
【０００１】
本発明は、一般的に言ってファスナを工作物に打ち込むために使用されるファスナ打込みツールに関するものであり、特定して言うと燃焼式ツールとも呼ばれる燃焼式ファスナ打込みツールに関するものである。さらに特定して言うと、本発明は、ツールの打込み深さを調整する装置またはアセンブリの改良に関するものである。
【背景技術】
【０００２】
Ｎｉｋｏｌｉｃｈに対する米国特許登録番号第３２，４５２号及び米国特許第４，５５２，１６２号、４，４８３，４７３号、４，４８３，４７４号、４，４０４，７２２号、５，１９７，６４６号、５，２６３，４３９号、５，５５８，２６４号及び５，６７８，８９９号（これら全ては参照によって組み込まれる）に例示される通り、工作物にファスナを打込むために使用される締結ツール特にポータブル燃焼式ツールについて説明される。この種のファスナ打込みツールは、イリノイ州Ｖｅｒｎｏｎ  ＨｉｌＩｓのＩＴＷ−Ｐａｓｌｏｄｅ社（Ｉｌｌｉｎｏｉｓ  Ｔｏｏｌ  Ｗｏｒｋｓ，Ｉｎｃ．の１事業部）よりＩＭＰＵＬＳＥ（登録商標）及びＰＡＳＬＯＤＥ（登録商標）のブランドで市販されている。
【０００３】
この種のツールは、小型内燃機関を取り囲むツールハウジングを含む。機関は、燃料電池としても知られる加圧燃料ガスのキャニスタから電力を受ける。電池式電子配電ユニットは点火のための火花を生じ、燃焼室内に配置されるファンは燃焼室内の効率的燃焼をもたらし、燃焼副産物の排出を含めて掃気を容易にする。機関は、シリンダ本体のピストン室内に配置される細長く剛性のドライバブレードを有する往復ピストンを含む。
【０００４】
燃焼室の壁はバルブスリーブの周りで軸方向に往復可能であり、リンク機構に接続されるノーズピースの端の工作物接触機素が工作物に押し付けられるとリンク機構を通じて燃焼室に近づく。この押付け動作は、燃料絞り弁を始動させて、燃料電池から閉鎖された燃焼室へ規定の量の燃料ガスを引き込む。
【０００５】
トリガが引っ張られると、機関の燃焼室内の装入ガスが点火されて、ピストン及びドライバブレードを下に打ち落として、これが配置されているファスナにぶつかって、工作物にファスナを打込むようにする。ピストンが下向きに駆動されると、ピストンより下のピストン室に囲まれる押し退け量は、シリンダの下端に設けられる１つまたはそれ以上の出口ポートを通って押し出される。衝突の後、ピストンは、シリンダ内のガス差圧によってその元のポジションすなわち「準備」ポジションへ戻る。ファスナはマガジンなど供給アセンブリからノーズピースへ送られ、ここで、ファスナはドライバブレードの衝撃を受けるために適切な方位に保持される。これらのツールの出力は、ピストンの行程の長さ、燃焼室の体積、燃料投入量及び同様の要因に応じて異なる。
【０００６】
燃焼式ツールは、フレーミング、ルーフィング及びその他の強力な用途など大型ファスナを必要とする大型工作物に応用されて成功している。もっと小型の工作物及びもっと小型の装飾的用途は、上記の強力な用途とは異なる動作特性のセットを必要とする。空気圧、粉末起動及び（または）電動ツールなど他のタイプのファスナ打込みツールは技術上既知であり、これも本発明の打込み深さ調整アセンブリに使用されることが想定されている。
【０００７】
ファスナ打込み用途特に装飾的用途において要求される１つの動作特性は、予測可能にファスナ打込み深さを制御する能力である。外見上、一部の装飾的用途は、ファスナが工作物の表面より下に沈められることを要求し、他の用途は、ファスナが工作物の表面と同一表面まで沈められることを要求し、場合によっては、工作物の表面より上に突き出すことを要求する。空圧式及び燃焼式ツールにおいて、深さ調整は、打込みプローブとして知られるツール制御メカニズムによって得られる。このメカニズムは、ツールのノーズピースに対して移動可能である。その運動範囲はファスナの打込み深さの範囲を決定する。同様の打込み深さ調整メカニズムは、燃焼式フレーミングツールに使用されるものも知られている。
【０００８】
深さ調整のための従来の配列は、工作物接触機素のそれぞれの重なりプレートまたはトング及び上部プローブまたはワイヤフォームの使用を伴う。プレートのうち少なくとも１枚には、長さ調整に対してスライドするためにスロットが付けられる。プレートの相対的位置を解除可能に固定するために押えネジなどネジ留め具が使用される。ファスナ打込み深さは、上部プローブに対して相対的な工作物接触機素の長さを変えることによって調整される。希望の深さが得られると留め具が締められる。
【０００９】
この種のツールのユーザーが、留め具を緩めかつ長さ調整が完了した後再びこれを締めるためにアレンレンチ、ナットドライバ、ネジ回しまたはこれに匹敵する工具を必要とすることに不便を感じていることが明らかになっている。操作中、ファスナ打込み中に生じる極端な衝撃力が選択された望ましい長さ調節を緩めて変動させることが判っている。従って、ツールの使用中留め具の締めを監視しなければならない。
【００１０】
調整を維持すると言う問題に対処するために、留め具が締められるときの付着力を増大する重なりプレートの相対する面に溝または刻み目が追加された。しかし、ファスナ打込みの応力の大きい環境においてコンポーネントの強度を維持するために、溝は、希望の付着力を得るために十分な深さに作られなければならない。プレートを厚くすることによってコンポーネントを弱体化することなくより深い溝を得ることができるが、これはリンク機構の重量をまして、望ましくない。
【００１１】
工具不使用の打込み深さ調整を行うための他の試みも行われたが、この場合にも付着力を増すために上述の相対する面の溝が採用され、上述の付着力の問題を生じる傾向がある。
【００１２】
この種の深さ調整または打込み深さ（交換可能に使用される）メカニズムのもう１つの設計上の要因は、工作物接触機素がツールの寿命期間にしばしば交換されることである。従って、深さ調整メカニズムはこの交換に適応し、同時に、必ずしも交換されないツールの上部プローブとの両立性を保持することが望ましい。
【発明の開示】
【発明が解決しようとする課題】
【００１３】
従って、工具が使用されることなく調整が固定されてファスナ打込みの長い時間中調整が維持される、改良されたファスナ打込みツール打込み深さ調整アセンブリが必要とされる。また、コンポーネントの強度を減ずることなく工作物接触機素の相対的ポジションをより積極的に締結する、改良されたファスナ深さ調整アセンブリが必要とされる。最後に、工作物接触機素の寿命が尽きたときファスナ打込みツール全体を交換する必要なく交換できる、改良されたファスナ打込み深さアセンブリが必要とされる。
【課題を解決するための手段】
【００１４】
上記の必要性は、本発明の、工具不使用のファスナ打込みツール用の打込み深さ調整アセンブリによって満たされるかまたはこれを満たして余りある。特に、本発明のアセンブリは、ツール動作中上部プローブリンク機構に対して工作物接触機素をよりしっかりと保持し、同時に、工具を使用することなくユーザーによる調整を可能にするように設計される。
【００１５】
より特定して言うと、ファスナ打込みツールに使用するための打込み深さ調整アセンブリが提供され、このアセンブリは接触端及び調整端を有する工作物接触機素、ツールに固定されかつ工作物接触機素がツールに対して移動可能な調整ポジションと調整端がツールに対して動かないよう固定されるロックポジションとの間で垂直に移動可能であるように構成される少なくとも１つのストップ、及びストップと結合されかつ工具を使用することなくツールに対して選択されたロックポジションへストップ及び調整端を押しやるように構成される少なくとも１つのバイアス機素を含む。
【発明を実施するための最良の形態】
【００１６】
ここで図１を参照すると、打込み深さ調整アセンブリは、全体として１０で示されており、上述の、全体として１２で示されるタイプのファスナ打込みツールに使用されるためのものである。ツール１２は、シリンダ本体１６の下端に取り付けられるビューティリング１４を含む。本出願において、「ビューティリング」はツールの燃焼機関の剛性の下部を意味し、一般に装飾的キャップまたは面（図には示されていない）を備える。上部プローブ１８は、プラットフォーム２０及び技術上既知の通り往復バルブスリーブ（図には示されていない）の自由端に接続される１対の細長いアーム２２を有する。望ましい実施態様において、上部プローブ１８は、単体の金属片から型押しされ成形されることによって製造されるが、他の剛性の耐久性材料及び製造技法が想定される。
【００１７】
ツール１２は、さらにビューティリング１４及びシリンダ本体１６に対して固定されるノーズピース２４を含む。ノーズピース２４は、技術上既知の通りマガジン（図には示されていない）からファスナを受け取るように構成される。工作物接触機素２６はノーズピース２４に対して往復スライド運動するよう構成され、できれば少なくとも３つの側面でノーズピースを取り囲む。
【００１８】
本発明の打込み深さアセンブリ１０は、上部プローブに対する工作物接触機素２６の相対的ポジションを調節するよう構成され、上部プローブはノーズピース２４に対する工作物接触機素の相対的ポジションを変化させる。一般的に言って、ノーズピース２４を工作物表面により近づけると、ツール１２によって打込まれるファスナがより深く工作物に打込まれる。
【００１９】
工作物接触機素２６は、トング部または調整端２８（図２において一番良く示されている）及び調整端２８に相対する接触端３０を含む。接触端３０はノーズピース２４を越えて伸び、技術上既知の通りファスナが打込まれる工作物の面に接触する。工作物接触機素２６の望ましい構成は単体金属片の型押しであるが、技術上既知の通り他の製造方法も想定される。
【００２０】
次に図２及び３を見てみると、本発明の打込み深さアセンブリ１０はファスナ打込みツール１２の上部プローブ１８のプラットフォーム２０に締結されるように構成され、さらに工作物接触機素２６と取り外し可能に係合するように構成されるストップ３２も含む。バイアス機素３４は、ストップ３２にバイアス力を与えて、工作物接触機素２６の動きに対して垂直の方向にストップを動かして、工作物接触機素と係合させるように構成される。スペーサ３６はバイアス機素３４をストップ３２に押し付けるように構成され、配列される。
【００２１】
本発明の打込み深さアセンブリ１０において、工作物接触機素２６の調整端２８は、少なくとも１つの歯付きエッジ３８を有し、ストップ３２は、選択された複数の調整ポジションのうちの１つにおいて積極的に歯付きエッジに係合するように構成される少なくとも１つの対応する歯付き面４０を有する。ストップ３２は、付属スカート４１を有し、少なくとも１つの歯付き面はスカートに配置される。さらに、望ましい実施態様において、工作物接触機素２６の調整端２８は、２つのほぼ平行の歯付きエッジ４１を含み、スカート４１の少なくとも１つの歯付き面４０の対応する１つは、工作物接触機素２６の歯付きエッジの各々に係合するように構成される。
【００２２】
スペーサ３６は、工作物接触機素２６の調整端２８の開口４４に受け入れられるように構成されるベース４２を含む。さらに、ストップ３２は、工作物接触機素２６の開口４４と見当が合うように構成される開口４６を有する。バイアス機素３４の開口４８はストップ３２の開口４６と見当が合うように構成される。本発明の打込み深さアセンブリ１０において、スペーサベース４２は、バイアス機素３４の開口４８、ストップ３２の開口４６及び工作物接触機素２６の開口４４の各々に受け入れられるように構成される。ベース４２と開口４６及び４８との間の嵌め合い関係は、バイアス機素３４及びストップ３２がベースに対して工作物接触機素２６に沿って軸方向に動くのを防ぐ。
【００２３】
本発明の打込み深さアセンブリ１０において、スペーサ３６は、フランジ５０、及びフランジ及びスペーサベース４２の両方を通り抜けて伸びる１対の通り穴５２も含む。さらに、フランジ５０は少なくとも１つの軸方向に伸びるバンパー構成５４を含む。１対のバンパー構成５４がほぼ平行に間隔を置いて配備されることが望ましい。ただし、この種の構成の数及び方位は用途に合わせて変えることができる。本発明の打込み深さアセンブリ１０がファスナ打込みツール１２に接続される場合、少なくとも１つのバンパー構成５４はファスナ打込みツール１２のビューティリング１４と接するように構成される。
【００２４】
図２及び３に示される通り、少なくとも１つのバンパー構成５４はバイアス機素３４及びストップ３２の対応する後端５６、５８よりさらに接触端３０と相対する方向に軸方向に伸びる。従って、この少なくとも１つのバンパー構造５４だけがビューティリング１４と接触する。動作力を受けるとツールを調整から外すことが多い先行技術の深さ調整システムと異なり、本発明の形態においては、ストップ３２とビューティリング１４との間の接触はない。少なくとも１つのバンパー構成５４の形態は、本発明のアセンブリ１０が動作中シフトしないようにするのに役立ち、かつバイアス機素３４をスペーサ３６とストップ３２との間の圧縮状態に維持する。
【００２５】
バイアス機素３４は凸状であることが望ましく、ストップ３２に対する張力を維持するように構成される。凸状のバイアス機素３４は上部プローブ１８とノーズピース２４との間のリンクをより強力にまたは丈夫にするので、動作中ツール１２の望ましい調整深さを維持すると、考えられる。さらに、バイアス機素３４は型押しによって単体の金属片から成形されるが、技術上既知の通り他の製造方法も考えられる。
【００２６】
バイアス機素３４は、フランジ５０とストップ３２の前面６０との間に配置される。他のタイプのバネが考えられるが、バイアス機素はアーチ型または与圧側面形状を有するバネ鋼の比較的平らな部品である。凸面６２はフランジ５０に隣接して配置されることが望ましい。対応する歯４０、３８がしっかりとかみ合わされるように、バイアス機素３４は、ストップ３２を工作物接触機素２６の調整端２８に押し付けるのに十分なバイアス力を与える。
【００２７】
本発明のアセンブリ１０は、さらに対のスペーサ通り穴５２に挿入されるように構成される少なくとも１つ、できれば１対の留め具６４を含む。上部プローブプラットフォーム２０は、スペーサ穴５２と見当が合うように構成される少なくとも１つ、できれば１対のプラットフォーム開口６６を含む。留め具６４は、ファスナ打込みツール１２の上部プローブプラットフォーム２０に本発明の打込み深さアセンブリ１０を締結するように構成される。留め具６４がスペーサ穴５２及び上部プローブ１８のプラットフォーム開口６６の両方に挿入された後、留め具は、技術上既知の通り、ナットブロック６８にネジ式に係合し、この中に締め付けられる。留め具６４をナットブロック６８の中に締め付けると、本発明のアセンブリ１０はしっかりとツール１２に締結される。
【００２８】
留め具６４がナットブロック６８の中に留められると、スペーサ３６の下部アンダーカット７０は、一般に調整端２８の厚みに一致する高さ‘Ｈ’を形成する。ストップ３２は工作物接触機素２５の軸に沿って動くことを阻止されるが、調整端及びこれと一緒に工作物接触機素は、締結されたスペーサ３６並びにバイアス機素３４及びストップ３２に対して軸方向にスライド可能である。
【００２９】
図２及び３を再び参照すると、本発明のアセンブリ１０において、ストップ３２は、さらにストップ３２の１対の相対する側面７４に配置される１対の外側に伸びる耳７２を含む。耳７２は、ツールの操作者がノーズピース２４に配置されかつ上部プローブプラットフォーム２０に配置される１対のクイッククリア穴７８からアクセス可能ないわゆる「クイッククリア」ネジ（図には示されていない）にアクセスできるようにするように構成される開口７６（図３が一番判り易くこれを示している）を含む。耳７２は、ストップ３２と工作物接触機素２６の調整端２８との間に生じる屑を掃除するためにアクセスし易くする寸法を持つことが考えられる。ストップ３２は、単体の金属片でストップを製造できるようにすることによって製造コストを下げることができる金属射出成型（ＭＩＭ）によって製造されることが望ましい。ただし、技術上既知の他の製造手段も考えられる。
【００３０】
本発明の打込み深さアセンブリ１０において、耳７２は、ツール１２からアセンブリ１０を簡単に取り外しできるようにも構成される。留め具６４をナットブロック６８から緩めることによって、ツール１２の上部プローブ１８に対して工作物接触機素２６の動きと直角の方向に耳７２を引っ張り上げることによってアセンブリ１０を簡単に取り外すことができる。この動きによってバイアス機素３４はアセンブリ１０に対する圧縮を解除し、それによってツール１２からアセンブリ１０を「アンロック」する。
【００３１】
ツール１２に対してアセンブリ１０を調整するために、操作者は耳７２のうち一方または両方をつかんで、ストップ３２を工作物接触機素２６の軸に対して垂直に引っ張る。引張り作用はバイアス機素３４によって与えられる力を凌ぎ、歯３８は歯４０から離脱するので、調整端２８が歯４０に対してスライドできるようにする。工作物接触機素２６をストップ３２及び上部プローブ１８に対して引っ張るかまたは押すと、ツール１２の打込み深さが調整される。ユーザーがストップ３２を離すと、バイアス機素３４はストップを調整端２８に押し付け、歯３８、４０が再びかみ合う。歯３８、４０の積極的係合によって、工作物接触機素２６はその新しいロックポジションを維持する。また、調整は工具なしに完了する。
【００３２】
希望の打込み深さをさらに正確に決定するために、本発明のアセンブリ１０は、さらに、工作物接触機素２６の上面８２に配置される深さ指示目盛り８０を含む。目盛り８０は、打込み深さを示すストップ３２の前端８６から外側に伸びるポインタ８４に対応するように構成される。従来のユニットにおいては、既知の深さ指示器は一般に下部プローブの下端に配置された。従って、操作者が、打込み深さを希望通りに変更するために正確な調整の方向を正確に決定することが難しかった。しかし、本発明においては、工作物接触機素２６とストップ３２が相互に接続されるので、深さ指示目盛り８０とポインタ８４との間に直接的な関係が存在する。目盛り８０は、ユーザーが工作物接触機素２６の長さの調整とファスナ深さの調整との間の関係を決定するのを助けるグラフィック要素８８も含むことが望ましい。
【００３３】
新規のツールとは別に、既存のファスナ打込みツールを修理または改良するためのキットとして本発明の打込み深さアセンブリ１０を提供することも想定される。工作物接触機素はファスナ打込みツールの残りの部分より早めに交換する必要が生じる傾向があるので、工作物接触機素を単独で交換できるようにするキットは、通常のツールの磨耗に対するコスト効率の良い解決法となる。この種のキットは、調整端２８及び接触端３０を有する工作物接触機素２６を含む。キットは、さらに工作物接触機素２６に取り外し可能に固定されるように構成されるストップ３２、ストップの上面に配置されるように構成されるバイアス機素３４及びスペーサ３６を含む。スペーサ３６は、バイアス機素３４、ストップ３２及び工作物接触機素２６をそれぞれの開口を通じて受けるように構成されるベース４２を含む。最後に、キットは、ツール１２にキットを固定するように構成される１つの留め具６４、及びナットブロック６８を含む。既存の工作物接触機素２６及び関連する打込み深さコンポーネントを取り外し、上述の通りこれらをアセンブリ１０に取り替えることによって、キットを設置することができる。
【００３４】
本発明のファスナ打込みツール用の工具不使用打込み深さアセンブリが本出願において説明されているが、広義の解釈における及び特許請求の範囲に示される本発明から逸脱することなくこれに変更及び修正を加えることができることが、当業者には判るだろう。
【図面の簡単な説明】
【００３５】
【図１】ロックポジションで示される本発明の打込み深さ調整アセンブリを備えるファスナ打込みツールの斜視図である。
【図２】図１のアセンブリの展開斜視図である。
【図３】図１のアセンブリの展開底面斜視図である。
【図１】
2008514436.tif 000003
【図２】
2008514436.tif 000004
【図３】
2008514436.tif 000005
【国際調査報告】
2008514436.tif 000006
2008514436.tif 000007